(57)【要約】【課題】  配電盤の表面から突出させて配電盤に基端部を介して固着すると共に軸方向の複数個所に接続部を設けたロッド状の複数本の接続端子と、一端が接続端子の接続部に接続されると共に他端が接続端子に隣接した他の接続端子の接続部に接続される接続片と、複数の接続端子及び接続片を一体的に覆うように配電盤に取り付けられるカバーとを具備する接続端子構造であって、接続片の取付箇所の間違い防止機能を有するものを提供する。【解決手段】  カバー１３０は、接続片（例えば接続片１２０）の正規の接続位置における接続部１１１ａ、１１１ｂとその正規の接続位置に対して先端側で隣接する他の接続部１１２ａ、１１２ｂとの間に位置する取付位置規制部１３１を具備する。【選択図】      図５
2006331859.tif 000002
【特許請求の範囲】
【請求項１】
配電盤の表面から突出させて前記配電盤に基端部を介して固着すると共に軸方向の複数個所に接続部を設けたロッド状の複数本の接続端子と、
一端が前記接続端子の接続部に接続されると共に他端が前記接続端子に隣接した他の接続端子の接続部に接続される接続片と、
複数の接続端子及び接続片を一体的に覆うように前記配電盤に取り付けられるカバーとを具備する接続端子構造であって、
前記カバーは、前記接続片の正規の接続位置における接続部と前記正規の接続位置に対して先端側で隣接する他の接続部との間に位置する取付位置規制部を具備することを特徴とする接続端子構造。
【請求項２】
請求項１において、前記取付位置規制部の少なくとも表面が絶縁体で被覆されることを特徴とする接続端子構造。
【請求項３】
請求項１又は２において、前記取付位置規制部が既成物からなることを特徴とする接続端子構造。
【請求項４】
請求項３において、前記既成物がプラスチック製のバンドであることを特徴とする接続端子構造。
【発明の詳細な説明】
【技術分野】
【０００１】
本発明は、配電盤の表面から突出させて配電盤に基端部を介して固着すると共に軸方向の複数個所に接続部を設けたロッド状の複数本の接続端子と、一端が接続端子の接続部に接続されると共に他端が接続端子に隣接した他の接続端子の接続部に接続される接続片と、複数の接続端子及び接続片を一体的に覆うように配電盤に取り付けられるカバーとを具備する接続端子構造に関する。
【背景技術】
【０００２】
従来から配電盤、特に地絡方向継電器（ＤＧ）のテストターミナルには、図８に示すように、配電盤５５０の表面から突出させるように配電盤５５０に固着されると共に、軸方向の第１の接続部５１１ａ、５１１ｂと第２の接続部５１２ａ、５１２ｂとが設けられた二重構造スタット形端子５１０ａ、５１０ｂと、その二重構造スタット形端子５１０ａ、５１０ｂを接続するための接続片５２０と、それらを一体的に覆うように配電盤５５０に取り付けられるカバー５３０とを具備した接続端子構造５００が用いられてきた。この接続端子構造５００は、電気回路を切り離すことなく第２の接続部５１２ａ、５１２ｂに試験装置類を接続することができ、接続片５２０を取り外すことで試験回路を構成することができるという特徴がある。
【０００３】
しかしながら、この接続端子構造５００には、接続片５２０が二重構造スタット形端子５１０ａ、５１０ｂに接続される際に、正規の接続位置以外の部分に接続片５２０が取り付けられてしまう可能性があるという問題、例えば正規の接続位置が第１の接続部５１１ａ、５１１ｂであるのに、接続片５２０が第２の接続部５１２ａ、５１２ｂや通常接続部として使用しない部分５１３ａ、５１３ｂのような正規の接続位置ではない部分に誤って取り付けられ、接続不良になってしまうという問題があった。
【０００４】
一方、接続される対象に応じて様々な形状・機能を有する端子構造が提案されているが（例えば特許文献１参照）、配電盤に複数配置されると共に複数の箇所に接続部を有するロッド状の接続端子と、それらの接続端子の接続部を接続する接続片と、複数の接続端子及び接続片を覆うように配電盤に取り付けられるカバーとを具備する接続端子構造であって、接続片の取付箇所の間違い防止機能を有するものは未だ提案されていない。
【０００５】
【特許文献１】特開２００５−５０６６３号公報
【発明の開示】
【発明が解決しようとする課題】
【０００６】
本発明は、このような事情に鑑み、配電盤の表面から突出させて配電盤に基端部を介して固着すると共に軸方向の複数個所に接続部を設けたロッド状の複数本の接続端子と、一端が接続端子の接続部に接続されると共に他端が接続端子に隣接した他の接続端子の接続部に接続される接続片と、複数の接続端子及び接続片を一体的に覆うように配電盤に取り付けられるカバーとを具備する接続端子構造であって、接続片の取付箇所の間違い防止機能を有するものを提供することを課題とする。
【課題を解決するための手段】
【０００７】
上記課題を解決するための本発明の第１の態様は、配電盤の表面から突出させて前記配電盤に基端部を介して固着すると共に軸方向の複数個所に接続部を設けたロッド状の複数本の接続端子と、一端が前記接続端子の接続部に接続されると共に他端が前記接続端子に隣接した他の接続端子の接続部に接続される接続片と、複数の接続端子及び接続片を一体的に覆うように前記配電盤に取り付けられるカバーとを具備する接続端子構造であって、前記カバーは、前記接続片の正規の接続位置における接続部と前記正規の接続位置に対して先端側で隣接する他の接続部との間に位置する取付位置規制部を具備することを特徴とする接続端子構造にある。
【０００８】
かかる第１の態様では、接続片の取付箇所の間違い防止機能を有する接続端子構造を提供することができる。
【０００９】
本発明の第２の態様は、第１の態様において、前記取付位置規制部の少なくとも表面が絶縁体で被覆されることを特徴とする接続端子構造にある。
【００１０】
かかる第２の態様では、取付位置規制部と接続片との接触による短絡を防止することができる。
【００１１】
本発明の第３の態様は、第１又は２の態様において、前記取付位置規制部が既成物からなることを特徴とする接続端子構造にある。
【００１２】
かかる第３の態様では、安価に既存のカバーに取付位置規制部を設けることができる。
【００１３】
本発明の第４の態様は、第３の態様において、前記既成物がプラスチック製のバンドであることを特徴とする接続端子構造にある。
【００１４】
かかる第４の態様では、より安価でかつ容易に既存のカバーに取付位置規制部を設けることができる。
【発明の効果】
【００１５】
本発明によれば、配電盤の表面から突出させて配電盤に基端部を介して固着すると共に軸方向の複数個所に接続部を設けたロッド状の複数本の接続端子と、一端が接続端子の接続部に接続されると共に他端が接続端子に隣接した他の接続端子の接続部に接続される接続片と、複数の接続端子及び接続片を一体的に覆うように配電盤に取り付けられるカバーとを具備する接続端子構造において、接続片の取付箇所（接続位置）の間違い防止機能を有するものを安価に提供することができる。
【発明を実施するための最良の形態】
【００１６】
以下、図面を用いて本発明を実施するための最良の形態について説明する。なお、本実施形態の説明は例示であり、本発明の構成は以下の説明に限定されない。
【００１７】
（実施形態１）
図１は、本発明の実施形態１に係る接続端子構造１００を構成する接続端子１１０ａ、１１０ｂを示す側面図であり、図２は本発明の実施形態１に係る接続端子構造１００を構成する接続片１２０を示す正面図であり、図３は本発明の実施形態１に係る接続端子構造１００を構成するカバー１３０を示す斜視図である。そして、図４は図３に示すカバー１３０の断面図である。
【００１８】
まず、本実施形態の接続端子について説明する。図１に示すように、本実施形態の接続端子１１０ａ、１１０ｂは、配電盤の表面から突出させて配電盤に基端部１１５ａ、１１５ｂを介して固着すると共に軸方向に第１の接続部１１１ａ、１１１ｂと第２の接続部１１２ａ、１１２ｂとを設けたロッド状のものである。この接続端子１１０ａ、１１０ｂは、図２に示す接続片１２０を介して第１の接続部１１１ａ、１１２ａ、又は第２の接続部１１１ｂ、１１２ｂを接続できるようになっている。なお、この接続端子１１０ａ、１１０ｂには、さらに通常接続部として使用しない部分１１３ａ、１１３ｂが設けられている。
【００１９】
次に、本実施形態の接続片について説明する。図２に示すように、本実施形態の接続片１２０は、一端が接続端子の接続部に接続されると共に他端がその接続端子に隣接した他の接続端子の接続部に接続されるものであって、一端に接続端子を引っ掛けるフック状の接続片接続部１２１ａが設けられると共に他端に接続片接続部１２１ａと同方向に向いた凹状の接続片接続部１２１ｂが設けられ、さらに接続片中央部１２２が絶縁体で覆われているものである。この接続片接続部１２１ａ、１２１ｂは、図１に示す接続端子１１０ａ、１１０ｂの第１の接続部１１１ａ、１１１ｂ、又は第２の接続部１１２ａ、１１２ｂに接続することができるようになっている。そして、この接続片１２０は、接続片接続部１２１ａが接続端子１１０ａの第１の接続部１１１ａ又は１１２ａに引っ掛かる形状であるため接続片１２０の落下を防止すると共に接続部１１１ａ、１１１ｂ間及び接続部１１２ａ、１１２ｂ間の導通を確保しやすくなっている。また、接続片１２０の接続片中央部１２２が絶縁体で覆われているので、接続片１２０を取り扱い易くすることができると共に、接続片中央部１２２と他の導電体との接触による短絡を防止することができる。
【００２０】
さらに、本実施形態のカバーについて説明する。図３に示すように、本実施形態のカバー１３０は、絶縁体からなり、図１及び図２に示した接続端子１１０ａ、１１０ｂ及び接続片１２０を一体的に覆うように配電盤２００に取り付けられるものであり、第１の接続部１１１ａ、１１１ｂと第２の接続部１１２ａ、１１２ｂとの間に位置する取付位置規制部１３１を具備している。なお、本実施形態では、正規の接続位置における接続部を第１の接続部１１１ａ、１１１ｂとし、その正規の接続位置に対して先端側で隣接する他の接続部を第２の接続部１１２ａ、１１２ｂとしている。また、カバー１３０の内面の形状は、接続端子１１０ａ、１１０ｂが嵌るようになっているので、カバー１３０の落下を防止することができる。すなわち、例えば接続端子１１０ａ、１１０ｂが垂直方向に隣接して設けられた配電盤２００にカバー１３０を取り付けても、カバー１３０が落下することはない。
【００２１】
ここで、取付位置規制部１３１について具体的に説明する。取付位置規制部１３１は、図４に示すように、カバー１３０の長手方向中央部に位置し、カバー１３０の下端から距離ｄ離れたところからカバー１３０の上端にわたってカバー１３０と一体的に設けられている。ここで距離ｄは、図５に示すように接続端子１１０ａ、１１０ｂが配電盤２００に接続された際の配電盤２００から第１の接続部１１１ａ、１１１ｂまでの距離よりも長いが、配電盤２００から第２の接続部１１２ａ、１１２ｂや通常接続部として使用しない部分１１３ａ、１１３ｂまでの距離よりも短くなっている。このような取付位置規制部１３１を設けたカバー１３０を用いることにより、接続片１２０が第２の接続部１１２ａ、１１２ｂや通常接続部として使用しない部分１１３ａ、１１３ｂのような正規の接続位置ではない部分に取り付けられるのを防止することができる。すなわち、接続片１２０が第２の接続部１１２ａ、１１２ｂや通常接続部として使用しない部分１１３ａ、１１３ｂのような正規の接続位置ではない部分に取り付けられた状態でカバー１３０を取り付けようとすると、取付位置規制部１３１が第２の接続部１１２ａ、１１２ｂや通常接続部として使用しない部分１１３ａ、１１３ｂを接続している接続片１２０に接触することになり、それ以上、カバー１３０を配電盤２００に近づけることができないので、カバー１３０を配電盤２００に取り付けることができなくなる。したがって、このような場合には接続片１２０を取り付ける位置が間違っていることが分かるので、結果として、接続片１２０が第２の接続部１１２ａ、１１２ｂや通常接続部として使用しない部分１１３ａ、１１３ｂのような正規の接続位置ではない部分に取り付けられるのを防止することができる。なお、本実施形態の取付位置規制部１３１は絶縁体からなるカバー１３０と一体的に形成されているので、取付位置規制部１３１と接続片１２０との接触による短絡を防止することができると共に、この取付位置規制部１３１を設けたカバー１３０を容易に製造することができる。
【００２２】
以上説明したように、本実施形態の接続端子構造１００によると、接続片１２０の取付箇所の間違い防止することができる。
【００２３】
（実施形態２）
実施形態１では、取付位置規制部１３１は、図４に示すように、カバー１３０の長手方向中央部に、カバー１３０の下端から距離ｄ離れたところからカバー１３０の上端にわたってカバー１３０と一体的に設けられているが、図６に示すように、カバー１３０Ａの長手方向中央部に、カバー１３０Ａの下端から距離ｄ離れたところに棒状の取付位置規制部１３１Ａをカバー１３０Ａと一体的に設けてもよい。このような形状の取付位置規制部１３１Ａであっても同様の効果が得られると共に、カバー１３０Ａの材料費を削減することができる。
【００２４】
（実施形態３）
実施形態１及び２では、取付位置規制部１３１、１３１Ａは、カバー１３０、１３０Ａと一体的に設けられているが、図７に示すように、カバー１３０Ｂの側面に、カバー１３０Ｂの下端から距離ｄ離れた位置に穴１３５ａ、１３５ｂを設けると共に、その穴１３５ａ、１３５ｂに絶縁体からなる既成物であるプラスチック製のバンド１４０を通してカバー１３０Ｂの側面でバンド１４０の両端を結んで固定することにより、穴１３５ａ、１３５ｂの間に存在するバンド１４０の一部を取付位置規制部１３１Ｂとしてもよい。プラスチック製のバンド１４０の一部を取付位置規制部１３１Ｂとしているので、バンド１４０の一部が接続片に接触しても短絡することはなく、さらに既成物であるプラスチック製のバンド１４０を利用しているので、安価でかつ容易にカバー１３０Ｂに取付位置規制部１３１Ｂを設けることができる。
【００２５】
（他の実施形態）
実施形態１〜３では、カバー１３０の内面の形状を接続端子１１０ａ、１１０ｂが嵌るようにすることにより、カバー１３０の落下を防止しているが、それ以外に、カバーの下部に磁石を設けることにより配電盤に磁気的に保持させてカバーの落下を防止してもよいし、カバー１３０の内面の形状を接続片の中央部１２２が嵌るようにしてカバーの落下を防止してもよい。
【図面の簡単な説明】
【００２６】
【図１】実施形態１に係る二重構造スタット形接続端子の側面図である。
【図２】実施形態１に係る接続片の正面図である。
【図３】実施形態１に係るカバーの斜視図である。
【図４】実施形態１に係るカバーの側面図である。
【図５】実施形態１に係る接続端子構造の側面図である。
【図６】実施形態２に係るカバーの斜視図である。
【図７】実施形態３に係るカバーの斜視図である。
【図８】従来の地絡方向継電器（ＤＧ）のテストターミナルの斜視図である。
【符号の説明】
【００２７】
１００  接続端子構造
１１０ａ、１１０ｂ  接続端子
１１１ａ、１１１ｂ  第１の接続部
１１２ａ、１１２ｂ  第２の接続部
１１３ａ、１１３ｂ  通常は接続部として使用しない部分
１１５ａ、１１５ｂ  基端部
１２０  接続片
１２１ａ、１２１ｂ  接続片接続部
１２２  接続片中央部
１３０、１３０Ａ、１３０Ｂ  カバー
１３１、１３１Ａ、１３１Ｂ  取付位置規制部
１３５ａ、１３５ｂ  穴
１４０  バンド
２００  配電盤
【図１】
2006331859.tif 000003
【図２】
2006331859.tif 000004
【図３】
2006331859.tif 000005
【図４】
2006331859.tif 000006
【図５】
2006331859.tif 000007
【図６】
2006331859.tif 000008
【図７】
2006331859.tif 000009
【図８】
2006331859.tif 000010